【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
第１の画像形成装置と、サーバー装置と、第２の画像形成装置と、を含むシステムであって、
前記第１の画像形成装置は、
情報処理装置より受け取った印刷データの書誌情報を前記サーバー装置に送信する第１の送信手段と、
前記サーバー装置より前記印刷データの実データの取得要求を受け取った場合、前記実データを前記サーバー装置に送信する第２の送信手段と、
を有し、
前記サーバー装置は、
前記第１の画像形成装置より受信した前記書誌情報に基づき入稿と出力とが異なる画像形成装置で行われる印刷に係る書誌情報であると判断された場合、前記第１の画像形成装置より受信した前記書誌情報に対応する印刷データの実データの取得要求を前記第１の画像形成装置に送信する第３の送信手段と、
前記取得要求に応じて前記第１の画像形成装置より送信された前記実データと前記書誌情報とを関連付けて管理する管理手段と、
前記第２の画像形成装置より書誌情報の取得要求を受信した場合、前記第２の画像形成装置に前記書誌情報を送信する第４の送信手段と、
前記書誌情報に関連付けて実データが管理されている場合、前記実データを前記第２の画像形成装置に送信する第５の送信手段と、
を有し、
前記第２の画像形成装置は、
前記サーバー装置より受信した前記書誌情報と前記実データとに基づいて印刷を実行する制御手段を有するシステム。
【請求項２】
前記サーバー装置は、
前記第１の画像形成装置より受信した前記書誌情報に基づき入稿と出力とが異なる画像形成装置で行われる印刷に係る書誌情報であるか否かを判断する判断手段を更に有し、
前記判断手段により入稿と出力とが異なる画像形成装置で行われる印刷に係る書誌情報であると判断された場合、前記第３の送信手段は、前記第１の画像形成装置より受信した前記書誌情報に対応する印刷データの実データの取得要求を前記第１の画像形成装置に送信する請求項１記載のシステム。
【請求項３】
前記判断手段は、前記第１の画像形成装置より受信した前記書誌情報とジョブ履歴に含まれる入稿と出力とが異なる画像形成装置で行われたジョブの情報とに基づき入稿と出力とが異なる画像形成装置で行われる印刷に係る書誌情報であるか否かを判断する請求項２記載のシステム。
【請求項４】
前記判断手段は、前記第１の画像形成装置より受信した前記書誌情報と設定された文言情報とに基づき入稿と出力とが異なる画像形成装置で行われる印刷に係る書誌情報であるか否かを判断する請求項２記載のシステム。
【請求項５】
前記サーバー装置は、前記文言情報を編集する編集手段を更に有する請求項４記載のシステム。
【請求項６】
前記サーバー装置は、設定された時間経過した場合、前記管理手段により前記書誌情報と関連付けて管理されている前記実データを削除する削除手段を更に有する請求項１乃至５何れか１項記載のシステム。
【請求項７】
前記サーバー装置は、画像形成装置である請求項１乃至６何れか１項記載のシステム。
【請求項８】
第１の画像形成装置より受信した印刷データの書誌情報に基づき入稿と出力とが異なる画像形成装置で行われる印刷に係る書誌情報であると判断された場合、前記第１の画像形成装置より受信した前記書誌情報に対応する印刷データの実データの取得要求を前記第１の画像形成装置に送信する第１の送信手段と、
前記取得要求に応じて前記第１の画像形成装置より送信された前記実データと前記書誌情報とを関連付けて管理する管理手段と、
第２の画像形成装置より書誌情報の取得要求を受信した場合、前記第２の画像形成装置に前記書誌情報を送信する第２の送信手段と、
前記書誌情報に関連付けて実データが管理されている場合、前記実データを前記第２の画像形成装置に送信する第３の送信手段と、
を有するサーバー装置。
【請求項９】
前記第１の画像形成装置より受信した前記書誌情報に基づき入稿と出力とが異なる画像形成装置で行われる印刷に係る書誌情報であるか否かを判断する判断手段を更に有し、
前記判断手段により入稿と出力とが異なる画像形成装置で行われる印刷に係る書誌情報であると判断された場合、前記第１の送信手段は、前記第１の画像形成装置より受信した前記書誌情報に対応する印刷データの実データの取得要求を前記第１の画像形成装置に送信する請求項８記載のサーバー装置。
【請求項１０】
前記判断手段は、前記第１の画像形成装置より受信した前記書誌情報とジョブ履歴に含まれる入稿と出力とが異なる画像形成装置で行われたジョブの情報とに基づき入稿と出力とが異なる画像形成装置で行われる印刷に係る書誌情報であるか否かを判断する請求項９記載のサーバー装置。
【請求項１１】
前記判断手段は、前記第１の画像形成装置より受信した前記書誌情報と設定された文言情報とに基づき入稿と出力とが異なる画像形成装置で行われる印刷に係る書誌情報であるか否かを判断する請求項９記載のサーバー装置。
【請求項１２】
前記文言情報を編集する編集手段を更に有する請求項１１記載のサーバー装置。
【請求項１３】
設定された時間経過した場合、前記管理手段により前記書誌情報と関連付けて管理されている前記実データを削除する削除手段を更に有する請求項８乃至１２何れか１項記載のサーバー装置。
【請求項１４】
前記サーバー装置は、画像形成装置である請求項８乃至１３何れか１項記載のサーバー装置。
【請求項１５】
第１の画像形成装置と、サーバー装置と、第２の画像形成装置と、を含むシステムにおける情報処理方法であって、
前記第１の画像形成装置が、情報処理装置より受け取った印刷データの書誌情報を前記サーバー装置に送信する第１の送信ステップと、
前記サーバー装置が、前記第１の画像形成装置より受信した前記書誌情報に基づき入稿と出力とが異なる画像形成装置で行われる印刷に係る書誌情報であると判断された場合、前記第１の画像形成装置より受信した前記書誌情報に対応する印刷データの実データの取得要求を前記第１の画像形成装置に送信する第２の送信ステップと、
前記第１の画像形成装置が、前記サーバー装置より前記印刷データの実データの取得要求を受け取った場合、前記実データを前記サーバー装置に送信する第３の送信ステップと、
前記サーバー装置が、前記取得要求に応じて前記第１の画像形成装置より送信された前記実データと前記書誌情報とを関連付けて管理する管理ステップと、
前記サーバー装置が、前記第２の画像形成装置より書誌情報の取得要求を受信した場合、前記第２の画像形成装置に前記書誌情報を送信する第４の送信ステップと、
前記サーバー装置が、前記書誌情報に関連付けて実データが管理されている場合、前記実データを前記第２の画像形成装置に送信する第５の送信ステップと、
前記第２の画像形成装置が、前記サーバー装置より受信した前記書誌情報と前記実データとに基づいて印刷を実行する制御ステップと、
を含む情報処理方法。
【請求項１６】
サーバー装置が実行する情報処理方法であって、
第１の画像形成装置より受信した印刷データの書誌情報に基づき入稿と出力とが異なる画像形成装置で行われる印刷に係る書誌情報であると判断された場合、前記第１の画像形成装置より受信した前記書誌情報に対応する印刷データの実データの取得要求を前記第１の画像形成装置に送信する第１の送信ステップと、
前記取得要求に応じて前記第１の画像形成装置より送信された前記実データと前記書誌情報とを関連付けて管理する管理ステップと、
第２の画像形成装置より書誌情報の取得要求を受信した場合、前記第２の画像形成装置に前記書誌情報を送信する第２の送信ステップと、
前記書誌情報に関連付けて実データが管理されている場合、前記実データを前記第２の画像形成装置に送信する第３の送信ステップと、
を含む情報処理方法。
【請求項１７】
コンピュータを、請求項８乃至１４何れか１項記載のサーバー装置の各手段として機能させるためのプログラム。
【請求項１８】
第１の画像形成装置と、サーバー装置と、第２の画像形成装置と、を含むシステムであって、
前記サーバー装置は、
前記サーバー装置内の履歴情報に基づいて、前記第１の画像形成装置から入力されたジョブが前記サーバー装置経由で出力されたことがあるかを判定する判定手段と、
前記入力されたジョブが前記サーバー装置経由で出力されたことがあると前記判定手段が判定すると、前記入力されたジョブの印刷データと、前記ジョブの書誌データとを前記第１の画像形成装置に対して要求する要求手段と、
前記書誌データおよび前記ジョブの印刷データを前記第１の画像形成装置から受信する受信手段と、
前記第２の画像形成装置に対して書誌情報を送信した後、当該第２の画像形成装置からのリクエストに従って、前記ジョブの印刷データを前記第２の画像形成装置に対して送信する送信手段と、
を有するシステム。
【請求項１９】
第１の画像形成装置および第２の画像形成装置と通信可能なサーバー装置であって、
前記サーバー装置内の履歴情報に基づいて、前記第１の画像形成装置から入力されたジョブが前記サーバー装置経由で出力されたことがあるかを判定する判定手段と、
前記入力されたジョブが前記サーバー装置経由で出力されたことがあると前記判定手段が判定すると、前記入力されたジョブの印刷データと、前記ジョブの書誌データとを前記第１の画像形成装置に対して要求する要求手段と、
前記書誌データおよび前記ジョブの印刷データを前記第１の画像形成装置から受信する受信手段と、
前記第２の画像形成装置に対して書誌情報を送信した後、当該第２の画像形成装置からのリクエストに従って、前記ジョブの印刷データを前記第２の画像形成装置に対して送信する送信手段と、
を有するサーバー装置。